(57)【特許請求の範囲】
【請求項１】
内側にチップをねじ込んで前記チップを装着可能な先端部と、
前記先端部に向けてガスが導入される他端部と、
前記先端部以外から外部に前記ガスを逃がすために、前記外部と連通するように設けたガス抜き穴と、を有するハンドピースであって、
前記チップのねじ込み長さによって、前記ガス抜き穴から逃がす前記ガスの量を調整し、前記チップからの前記ガスの流量を変化させる、ハンドピース。
【請求項２】
前記チップの前記ガス抜き穴に対するかかり量を変えることで、前記チップからの前記ガスの流量を変化させる、請求項１に記載のハンドピース。
【請求項３】
前記ガス抜き穴が、長穴であることを特徴とする請求項１または２に記載のハンドピース。
【請求項４】
前記ガス抜き穴が、前記チップの挿入方向に対して異なる位置に複数個あることを特徴とする請求項１または２に記載のハンドピース。
【請求項５】
少なくとも前記チップが挿入される範囲にゴムまたは樹脂製のリング状シール部材を設けることを特徴とする請求項１または２に記載のハンドピース。
【請求項６】
少なくとも前記チップが挿入される範囲に１つ以上のバネ性構造部材を設けることを特徴とする請求項１または２に記載のハンドピース。
【発明の詳細な説明】
【０００１】
【発明の属する技術分野】
本発明は、医療に用いられるレーザメスにおいて、そのハンドピースを提供するものである。
【０００２】
【従来の技術】
従来のレーザメス用ハンドピースを図６に示す。ハンドピース先端に取り付けたチップ１からのアシストガス流量を変化させるために、アシストガスを供給するコンプレッサ２とハンドピース３が接続されるプローブ４のガスポート５との間に流量計６を設け、その流量計６を調整していた。
【０００３】
【発明が解決しようとする課題】
症例に合わせてアシストガス流量を変化させるために流量計を調整しなければならず、術者にとって面倒であり、誤った調整になりかねない。例えば、歯科の根管治療のようにアシストガス流量を低下させる必要がある症例で流量計の調整を忘れると皮下気腫などの合併症を起こす危険性がある。
【０００４】
【課題を解決するための手段】
上記課題を解決するために、本発明第１のレーザメス用ハンドピースは、チップを着脱できる構造を有するハンドピースにおいて、チップの種類に応じてガス流量の調整を可能とする位置にガス抜き穴を設ける。
【０００５】
本発明第２のレーザメス用ハンドピースは、ガス抜き穴を長穴としたものである。
【０００６】
本発明第３のレーザメス用ハンドピースは、ガス抜き穴を、チップ挿入方向に対して異なる位置に複数個設ける。
【０００７】
本発明第４のレーザメス用ハンドピースは、ハンドピースの先端でチップを着脱できる構造を有するハンドピースにおいて、少なくともチップが挿入される範囲にゴムまたは樹脂製のリング状シール部材を設けることを特徴とする。
【０００８】
本発明第５のレーザ用ハンドピースは、ハンドピースの先端でチップを着脱できる構造を有するハンドピースにおいて、少なくともチップが挿入される範囲に１つ以上のバネ性構造部材を設けることを特徴とする。
【０００９】
【発明の実施の形態】
本発明第１のレーザメス用ハンドピースによれば、アシストガスを逃がすガス抜き穴を設けることによって、症例にあわせたアシストガスの流量にすることができる。
【００１０】
本発明第２のレーザメス用ハンドピースによれば、ガス抜き穴から逃がすガスの流量の調整幅が大きくなる。
【００１１】
本発明第３のレーザメス用ハンドピースによれば、ガス抜き穴から逃がすガスの流量を段階的に調整することが可能になる。
【００１２】
本発明第４のレーザメス用ハンドピースによれば、ハンドピースの部分にＯリングを設けることで治療途中でのチップの外れ防止とともに血液などの浸入を防止することができる。
【００１３】
本発明第５のレーザメス用ハンドピースによれば、ボールプランジャでチップの溝が押さえられ、治療途中でのチップの外れを防止することができる。
【００１４】
以下本発明の第一の実施の形態のレーザメス用ハンドピースについて、図１を参照しながら説明する。光ファイバ７を組み込んだプローブ４の出射側にハンドピース３が接続され、そのハンドピース３には光の方向を変える反射ミラー８が内蔵されている。そして、ハンドピース先端はチップ１をねじ込んで装着できるような構造になっており、前記反射ミラー８で反射されたレーザ光が導かれる。また、アシストガスを供給するコンプレッサ２とプローブ４のガスポート５が接続され、アシストガスがプローブ４の先端を通してハンドピース３、チップ１に導かれる。さらに、ハンドピース３にはチップ１の種類に応じてアシストガス流量の調整を可能とする位置にガス抜き穴９を設けている。例えば、チップ１のねじ込み長ａを、多量のアシストガスを勢い良く流すことを要求される症例では長くし、前記ガス抜き穴を塞いでチップ先端からアシストガスを多く流す。反対に、少量のアシストガスで十分な症例の場合は、ねじ込み長ａが短くし、ガス抜き穴９からアシストガスが漏れてチップ１からのアシストガス流量を低下させることができる。通常、治療部位や治療内容によってチップの形状が異なるものであるから、症例に適したチップの種類に応じてアシストガス流量を自動的に変えることができる。そのため、アシストガス流量を調整する手間を省くことができる他にアシストガス流量の誤設定による危険な治療行為をなくすことができる。
【００１５】
なお、ガス抜き穴は、図２に示す通り、チップの挿入方向に対して異なる位置に複数個（本実施の形態では２個）あると、ねじ込みの長ａの長さによって、一方のガス抜き穴が塞がれる場合、２つとも塞がれる場合、２つとも開放される場合と、大きく３つの段階に分けることもできる。図は、２つのガス抜き穴の一方は、チップ１によって完全に塞がれ、もう一方は半分程度塞がれている状態を示している。
【００１６】
また、図３に示す通り、ガス抜き穴９をチップ１の挿入方向に長い長穴とすると、チップ１のねじ込みの度合いによって、ガス抜き穴から逃がすアシストガスの量を調整でき、従って、患部に当てるアシストガスの流量の調整範囲を広げることができる。図は、チップ１がガス抜き穴９の一部にかかり、その他の部分からアシストガスを逃がすことのできる状態を示しているが、ガス抜き穴９を長穴としているため、第１の実施の形態より、アシストガス流量の調整範囲が広くなる。
【００１７】
次に、本発明の第二実施例のハンドピースについて、図４を参照しながら説明する。チップ１がねじ込まれるハンドピース３の部分にＯリング１０を設けることで治療途中でのチップ１の外れ防止とともに血液などの浸入を防止することができる。
【００１８】
さらに、本発明の第三実施例のハンドピースについて、図５を参照しながら説明する。チップ１でハンドピース３に挿入される範囲の一部に溝１１を設け、ハンドピース３ではその位置にボールプランジャ１２を備える。ボールプランジャ１２でチップの溝１１が押さえられ、治療途中でのチップの外れを防止することができる。
【００１９】
【発明の効果】
以上の説明から明らかなように、治療目的に合ったチップを選択することでガス流量を自動的に変化させることができる。
【図面の簡単な説明】
【図１】本発明の第１の実施の形態を示すレーザメス用ハンドピースの断面と全体構成図
【図２】本発明の第２の実施の形態を示すレーザメス用ハンドピースの断面と全体構成図
【図３】本発明の第３の実施の形態を示すレーザメス用ハンドピースの断面図
【図４】本発明の第４の実施の形態を示すレーザメス用ハンドピースの断面図
【図５】本発明の第４の実施の形態を示すレーザメス用ハンドピースの断面図
【図６】従来のレーザメス用ハンドピースの断面と全体構成図
【符号の説明】
１    チップ
２    コンプレッサ
３    ハンドピース
４    プローブ
５    ガスポート
６    流量計
７    光ファイバ
８    反射ミラー
９    ガス抜き穴
１０  Ｏリング
１１  溝
１２  ボールプランジャ
【図１】
0004218194.tif 000002
【図２】
0004218194.tif 000003
【図３】
0004218194.tif 000004
【図４】
0004218194.tif 000005
【図５】
0004218194.tif 000006
【図６】
0004218194.tif 000007